(57)【要約】１または複数のネットワーク・ノードにおいて状態情報が保持されることを保証するために、複数のネットワーク接続のうちの１つを切断することを容易にする方法および装置が提供される。デバイスによって開始される切断の場合、デバイスは、ネットワーク接続を明示的に切断することとは逆に、１つのネットワーク接続の別のアクティブなネットワーク接続へのハンドオーバを実行することに関連するハンドオーバ・メッセージを送信しうる。これによって、例えばゲートウェイ識別子のような少なくともいくつかの状態情報が、１または複数のネットワーク・ノードに保持されるようになる。ネットワークによって開始される切断の場合、ゲートウェイは、切断の一部として削除された状態情報が、状態情報サーバに再プロビジョンされることを保証するために、ルーティング・トンネル終了メッセージの受信後に、状態情報サーバに状態情報をプロビジョンしうる。
2013516924.tif 000002
【特許請求の範囲】
【請求項１】
１または複数の無線ネットワークへの複数の接続のうちの１つを切断するための方法であって、
おのおのがゲートウェイへのアクセスを提供する複数のネットワーク接続によって通信することと、
前記複数のネットワーク接続のうちの少なくとも１つを切断することを決定することと、
前記複数のネットワーク接続のうちの少なくとも１つに関連する１または複数のフローの、前記複数のネットワーク接続のうちの別の１つへのハンドオーバを実行することと、
切断する代わりに、前記複数のネットワーク接続のうちの少なくとも１つの、前記複数のネットワーク接続のうちの別の１つへのハンドオーバを実行することに関連するハンドオーバ・メッセージを送信することと、
を備える方法。
【請求項２】
その後、前記複数のネットワーク接続のうちの少なくとも１つを再接続することと、
前記切断する代わりに、前記ハンドオーバ・メッセージを送信することに少なくとも部分的に基づいて保持された識別子に少なくとも部分的に基づいて、前記ゲートウェイへの割当を、状態情報サーバから受信することと、
をさらに備える請求項１に記載の方法。
【請求項３】
前記ハンドオーバ・メッセージを送信することは、デュアル・スタック・モバイル・インターネット・プロトコル・ハンドオーバ・メッセージを送信することを含み、前記複数のネットワーク接続のうちの少なくとも１つは、第３世代パートナシップ計画ネットワークであり、前記複数のネットワーク接続のうちの別の１つは、無線ローカル・エリア・ネットワークである、請求項１に記載の方法。
【請求項４】
１または複数の無線ネットワークへの複数の接続のうちの１つを切断するための装置であって、
おのおのがゲートウェイへのアクセスを提供する複数のネットワーク接続によって通信し、
前記複数のネットワーク接続のうちの少なくとも１つを切断することを決定し、
前記複数のネットワーク接続のうちの少なくとも１つに関連する１または複数のフローの、前記複数のネットワーク接続のうちの別の１つへのハンドオーバを実行し、
切断する代わりに、前記複数のネットワーク接続のうちの少なくとも１つの、前記複数のネットワーク接続のうちの別の１つへのハンドオーバを実行することに関連するハンドオーバ・メッセージを送信する、
ように構成された少なくとも１つのプロセッサと、
前記少なくとも１つのプロセッサに接続されたメモリと、
を備える装置。
【請求項５】
前記少なくとも１つのプロセッサはさらに、その後、前記複数のネットワーク接続のうちの少なくとも１つを再接続し、前記切断する代わりに、前記ハンドオーバ・メッセージを送信することに少なくとも部分的に基づいて保持された識別子に少なくとも部分的に基づいて、前記ゲートウェイへの割当を、状態情報サーバから受信するように構成された、請求項４に記載の装置。
【請求項６】
前記ハンドオーバ・メッセージは、デュアル・スタック・モバイル・インターネット・プロトコル・ハンドオーバ・メッセージを含み、前記複数のネットワーク接続のうちの少なくとも１つは、第３世代パートナシップ計画ネットワークであり、前記複数のネットワーク接続のうちの別の１つは、無線ローカル・エリア・ネットワークである、請求項４に記載の装置。
【請求項７】
無線ネットワークへの複数の接続のうちの１つを切断するための装置であって、
おのおのがゲートウェイへのアクセスを提供する複数のネットワーク接続によって通信する手段と、
前記複数のネットワーク接続のうちの少なくとも１つを切断することを決定する手段と、
切断する代わりに、前記複数のネットワーク接続のうちの少なくとも１つの、前記複数のネットワーク接続のうちの別の１つへのハンドオーバを実行することに関連するハンドオーバ・メッセージを送信する手段とを備え、
前記通信する手段は、前記複数のネットワーク接続のうちの少なくとも１つに関連する１または複数のフローの、前記複数のネットワーク接続のうちの別の１つへのハンドオーバを実行する、装置。
【請求項８】
前記通信する手段は、その後、前記複数のネットワーク接続のうちの少なくとも１つを再接続し、前記切断する代わりに、前記ハンドオーバ・メッセージを送信することに少なくとも部分的に基づいて保持された識別子に少なくとも部分的に基づいて、前記ゲートウェイへの割当を、状態情報サーバから受信する、請求項７に記載の装置。
【請求項９】
前記ハンドオーバ・メッセージは、デュアル・スタック・モバイル・インターネット・プロトコル・ハンドオーバ・メッセージであり、前記複数のネットワーク接続のうちの１つは、第３世代パートナシップ計画ネットワークであり、前記複数のネットワーク接続のうちの別の１つは、無線ローカル・エリア・ネットワークである、請求項７に記載の装置。
【請求項１０】
１または複数の無線ネットワークへの複数の接続のうちの１つを切断するためのコンピュータ・プログラム製品であって、
少なくとも１つのコンピュータに対して、おのおのがゲートウェイへのアクセスを提供する複数のネットワーク接続によって通信させるためのコードと、
前記少なくとも１つのコンピュータに対して、前記複数のネットワーク接続のうちの少なくとも１つを切断することを決定させるためのコードと、
前記少なくとも１つのコンピュータに対して、前記複数のネットワーク接続のうちの少なくとも１つに関連する１または複数のフローの、前記複数のネットワーク接続のうちの別の１つへのハンドオーバを実行させるためのコードと、
前記少なくとも１つのコンピュータに対して、切断する代わりに、前記複数のネットワーク接続のうちの少なくとも１つの、前記複数のネットワーク接続のうちの別の１つへのハンドオーバを実行することに関連するハンドオーバ・メッセージを送信させるためのコードと、
を備えるコンピュータ読取可能な媒体、
を備えるコンピュータ・プログラム製品。
【請求項１１】
前記コンピュータ読取可能媒体はさらに、前記少なくとも１つのコンピュータに対して、その後、前記複数のネットワーク接続のうちの少なくとも１つを再接続させ、前記切断する代わりに、前記ハンドオーバ・メッセージを送信することに少なくとも部分的に基づいて保持された識別子に少なくとも部分的に基づいて、前記ゲートウェイへの割当を、状態情報サーバから受信させるためのコードを備える、請求項１０に記載のコンピュータ・プログラム製品。
【請求項１２】
前記ハンドオーバ・メッセージは、デュアル・スタック・モバイル・インターネット・プロトコル・ハンドオーバ・メッセージを含み、前記複数のネットワーク接続のうちの１つは、第３世代パートナシップ計画ネットワークであり、前記複数のネットワーク接続のうちの別の１つは、無線ローカル・エリア・ネットワークである、請求項１０に記載のコンピュータ・プログラム製品。
【請求項１３】
無線ネットワークへの複数の接続のうちの１つを切断するための装置であって、
おのおのがゲートウェイへのアクセスを提供する複数のネットワーク接続によって通信するためのネットワーク通信構成要素と、
前記複数のネットワーク接続のうちの少なくとも１つを切断することを決定するための切断決定構成要素と、
切断する代わりに、前記複数のネットワーク接続のうちの少なくとも１つの、前記複数のネットワーク接続のうちの別の１つへのハンドオーバを実行することに関連するハンドオーバ・メッセージを送信するためのハンドオーバ・メッセージ・プロビジョニング構成要素とを備え、
前記ネットワーク通信構成要素は、前記複数のネットワーク接続のうちの少なくとも１つに関連する１または複数のフローの、前記複数のネットワーク接続のうちの別の１つへのハンドオーバを実行する、装置。
【請求項１４】
前記ネットワーク通信構成要素は、その後、前記複数のネットワーク接続のうちの少なくとも１つを再接続し、前記切断する代わりに、前記ハンドオーバ・メッセージ・プロビジョニング構成要素が前記ハンドオーバ・メッセージを送信することに少なくとも部分的に基づいて保持された識別子に少なくとも部分的に基づいて、前記ゲートウェイへの割当を、状態情報サーバから受信する、請求項１３に記載の装置。
【請求項１５】
前記ハンドオーバ・メッセージは、デュアル・スタック・モバイル・インターネット・プロトコル・ハンドオーバ・メッセージを含み、前記複数のネットワーク接続のうちの１つは、第３世代パートナシップ計画ネットワークであり、前記複数のネットワーク接続のうちの別の１つは、無線ローカル・エリア・ネットワークである、請求項１３に記載の装置。
【請求項１６】
削除された状態情報をホーム加入者サーバ（ＨＳＳ）へプロビジョンするための方法であって、
デバイスとネットワークとの間の複数の接続のうちの１つの切断に関連付けられたルーティング・トンネル終了メッセージを、モビリティ管理エンティティ（ＭＭＥ）から受信することと、
前記ルーティング・トンネル終了メッセージを受信することに少なくとも部分的に基づいて、ゲートウェイ識別子をＨＳＳへ送信することと、
を備える方法。
【請求項１７】
前記ルーティング・トンネル終了メッセージを受信すると、タイマを起動することをさらに備え、前記ゲートウェイ識別子をＨＳＳへ送信することは、前記タイマに少なくとも部分的に基づく、請求項１６に記載の方法。
【請求項１８】
前記タイマを起動することは、格納されたゲートウェイ識別子を削除するためのコマンドを前記ＨＳＳへ送信するために、前記ＭＭＥによって利用される別のタイマに少なくとも部分的に基づく、請求項１７に記載の方法。
【請求項１９】
ホーム加入者サーバ（ＨＳＳ）に状態情報を提供するための装置であって、
ルーティング・トンネル終了メッセージをモビリティ管理エンティティ（ＭＭＥ）から受信し、
前記ルーティング・トンネル終了メッセージを受信することに少なくとも部分的に基づいて、ゲートウェイ識別子をＨＳＳへ送信する
ように構成された少なくとも１つのプロセッサと、
前記少なくとも１つのプロセッサに接続されたメモリと、
を備える装置。
【請求項２０】
前記少なくとも１つのプロセッサはさらに、前記ルーティング・トンネル終了メッセージを受信すると、タイマを起動するように構成され、前記少なくとも１つのプロセッサは、さらに前記タイマに少なくとも部分的に基づいて、前記ゲートウェイ識別子を前記ＨＳＳへ送信する、請求項１９に記載の装置。
【請求項２１】
前記少なくとも１つのプロセッサは、前記タイマを、格納されたゲートウェイ識別子を削除するためのコマンドを前記ＨＳＳへ送信するために、前記ＭＭＥによって利用される別のタイマに少なくとも部分的に基づいて起動する、請求項２０に記載の装置。
【請求項２２】
削除された状態情報をホーム加入者サーバ（ＨＳＳ）へプロビジョンするための装置であって、
ルーティング・トンネル終了メッセージをモビリティ管理エンティティ（ＭＭＥ）から受信する手段と、
前記ルーティング・トンネル終了メッセージを受信することに少なくとも部分的に基づいて、ゲートウェイ識別子をＨＳＳへ送信する手段と、
を備える装置。
【請求項２３】
前記送信する手段はさらに、前記ルーティング・トンネル終了メッセージを受信すると、タイマを起動し、前記タイマに少なくとも部分的に基づいて、前記ゲートウェイ識別子を前記ＨＳＳへ送信する、請求項２２に記載の装置。
【請求項２４】
前記送信する手段は、前記タイマを、格納されたゲートウェイ識別子を削除するためのコマンドを前記ＨＳＳへ送信するために、前記ＭＭＥによって利用される別のタイマに少なくとも部分的に基づいて起動する、請求項２３に記載の装置。
【請求項２５】
削除された状態情報をホーム加入者サーバ（ＨＳＳ）へプロビジョンするためのコンピュータ・プログラム製品であって、
少なくとも１つのコンピュータに対して、ルーティング・トンネル終了メッセージをモビリティ管理エンティティ（ＭＭＥ）から受信させるためのコードと、
前記少なくとも１つのコンピュータに対して、前記ルーティング・トンネル終了メッセージを受信することに少なくとも部分的に基づいて、ゲートウェイ識別子をＨＳＳへ送信させるためのコードと、
を備えるコンピュータ読取可能な媒体、
を備えるコンピュータ・プログラム製品。
【請求項２６】
前記コンピュータ読取可能な媒体はさらに、前記少なくとも１つのコンピュータに対して、前記ルーティング・トンネル終了メッセージを受信すると、タイマを起動させるためのコードを備え、前記少なくとも１つのコンピュータに対して送信させるためのコードは、さらに前記タイマに少なくとも部分的に基づいて、前記ゲートウェイ識別子を前記ＨＳＳへ送信する、請求項２５に記載のコンピュータ・プログラム製品。
【請求項２７】
前記少なくとも１つのコンピュータに対して、前記タイマを起動させるためのコードは、
前記タイマを、格納されたゲートウェイ識別子を削除するためのコマンドを前記ＨＳＳへ送信するために、前記ＭＭＥによって利用される別のタイマに少なくとも部分的に基づいて起動する、請求項２６に記載のコンピュータ・プログラム製品。
【請求項２８】
削除された状態情報をホーム加入者サーバ（ＨＳＳ）へプロビジョンするための装置であって、
ルーティング・トンネル終了メッセージをモビリティ管理エンティティ（ＭＭＥ）から受信するための切断構成要素と、
前記ルーティング・トンネル終了メッセージを受信することに少なくとも部分的に基づいて、ゲートウェイ識別子をＨＳＳへ送信するための状態情報プロビジョニング構成要素と、
を備える装置。
【請求項２９】
前記状態情報プロビジョニング構成要素はさらに、前記ルーティング・トンネル終了メッセージを受信すると、タイマを起動し、前記タイマに少なくとも部分的に基づいて、前記ゲートウェイ識別子を前記ＨＳＳへ送信する、請求項２８に記載の装置。
【請求項３０】
前記状態情報プロビジョニング構成要素は、前記タイマを、格納されたゲートウェイ識別子を削除するためのコマンドを前記ＨＳＳへ送信するために、前記ＭＭＥによって利用される別のタイマに少なくとも部分的に基づいて起動する、請求項２９に記載の装置。
【発明の詳細な説明】
【優先権主張】
【０００１】
本特許出願は、“多元接続シナリオのための切断ハンドリング”（DETACH HANDLING FOR A MULTIPLE ACCESS SCENARIO）と題された２０１０年１月８日出願の米国特許仮出願６１／２９３，５３９号に対する優先権を主張する。この仮出願は、本明細書の譲受人に譲渡され、本明細書に参照によって明確に組み込まれている。
【技術分野】
【０００２】
以下の記載は、一般に、無線ネットワーク通信に関し、さらに詳しくは、無線ネットワークと通信するために多元接続を利用することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア無線ネットワーク構成で、他のモバイル・デバイスと（および／または基地局が他の基地局と）通信しうる。
【０００５】
さらに、デバイスは、ダイバーシティの増加、データ・レートの増加、さらなる機能の提供等のために、複数のネットワーク接続を用いて無線ネットワークと通信しうる。一例において、デバイスは、ＬＴＥ接続および無線ローカル・エリア・ネットワーク（ＷＬＡＮ）接続によって、無線ネットワークと通信しうる。シームレスなアクセスを容易にするために、例えば、デバイスは、１または複数のポリシーに基づいて、１または複数の接続を自動的に接続および／または切断しうる。例えば、接続を切断することは、切断に関連する１または複数のネットワーク構成要素から状態情報をクリアすることを含みうる。ある場合には、このような状態情報をクリアすることによって、別のネットワーク構成要素が、デバイスに関連する別の状態情報を有するようになりうる。
【０００６】
さらに、デバイスは、接続を切断する前に、１つの接続のフローを、別の接続に移動させうる。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の実施形態および対応する開示によれば、さまざまな態様が、デバイスのためにネットワーク構成要素間での一貫した状態を保証するために、多元接続シナリオにおける１または複数の接続の切断を、適切にハンドリングすることに関連して記載される。一例では、１または複数のネットワーク構成要素は、１または複数の接続がデバイスにおいて切断された場合、ホーム加入者サーバ（ＨＳＳ）が、デバイスに関連付けられた１または複数のゲートウェイに関連する情報を保持することを保証しうる。この点に関し、例えば、デバイスは、再び、１または複数の接続を確立し、同じ設定を利用しうる。
【０００９】
例によれば、１または複数の無線ネットワークへの複数の接続のうちの１つを切断するための方法が提供される。この方法は、おのおのがゲートウェイへのアクセスを提供する複数のネットワーク接続によって通信することと、複数のネットワーク接続のうちの少なくとも１つを切断することを決定することと、を含む。この方法はさらに、複数のネットワーク接続のうちの少なくとも１つに関連する１または複数のフローの、複数のネットワーク接続のうちの別の１つへのハンドオーバを実行することと、切断する代わりに、複数のネットワーク接続のうちの少なくとも１つの、複数のネットワーク接続のうちの別の１つへのハンドオーバを実行することに関連するハンドオーバ・メッセージを送信することと、を含む。
【００１０】
別の態様では、１または複数の無線ネットワークへの複数の接続のうちの１つを分離するための装置が提供される。この装置は、おのおのがゲートウェイへのアクセスを提供する複数のネットワーク接続によって通信し、複数のネットワーク接続のうちの少なくとも１つを切断することを決定する、ように構成された少なくとも１つのプロセッサを含む。この少なくとも１つのプロセッサはさらに、複数のネットワーク接続のうちの少なくとも１つに関連する１または複数のフローの、複数のネットワーク接続のうちの別の１つへのハンドオーバを実行し、切断する代わりに、複数のネットワーク接続のうちの少なくとも１つの、複数のネットワーク接続のうちの別の１つへのハンドオーバを実行することに関連するハンドオーバ・メッセージを送信する、ように構成される。さらに、この装置は、少なくとも１つのプロセッサに接続されたメモリを含む。
【００１１】
また別の態様では、無線ネットワークへの複数の接続のうちの１つを分離するための装置が提供される。この装置は、おのおのがゲートウェイへのアクセスを提供する複数のネットワーク接続によって通信する手段と、複数のネットワーク接続のうちの少なくとも１つを切断することを決定する手段とを含む。この装置はさらに、切断する代わりに、複数のネットワーク接続のうちの少なくとも１つの、複数のネットワーク接続のうちの別の１つへのハンドオーバを実行することに関連するハンドオーバ・メッセージを送信する手段を含む。ここで、通信する手段は、複数のネットワーク接続のうちの少なくとも１つに関連する１または複数のフローの、複数のネットワーク接続のうちの別の１つへのハンドオーバを実行する。
【００１２】
また、別の態様では、１または複数の無線ネットワークへの複数の接続のうちの１つを分離するためのコンピュータ・プログラム製品が提供される。このコンピュータ・プログラム製品は、少なくとも１つのコンピュータに対して、おのおのがゲートウェイへのアクセスを提供する複数のネットワーク接続によって通信させるためのコードと、少なくとも１つのコンピュータに対して、複数のネットワーク接続のうちの少なくとも１つを切断することを決定させるためのコードと、を有するコンピュータ読取可能な媒体を含む。このコンピュータ読取可能な媒体はさらに、少なくとも１つのコンピュータに対して、複数のネットワーク接続のうちの少なくとも１つに関連する１または複数のフローの、複数のネットワーク接続のうちの別の１つへのハンドオーバを実行させるためのコードと、少なくとも１つのコンピュータに対して、切断する代わりに、複数のネットワーク接続のうちの少なくとも１つの、複数のネットワーク接続のうちの別の１つへのハンドオーバを実行することに関連するハンドオーバ・メッセージを送信させるためのコードとを含む。
【００１３】
さらに、態様では、無線ネットワークへの複数の接続のうちの１つを分離するための装置が提供される。この装置は、おのおのがゲートウェイへのアクセスを提供する複数のネットワーク接続によって通信するためのネットワーク通信構成要素と、複数のネットワーク接続のうちの少なくとも１つを切断することを決定するための分離決定構成要素と、を含む。この装置はさらに、切断する代わりに、複数のネットワーク接続のうちの少なくとも１つの、複数のネットワーク接続のうちの別の１つへのハンドオーバを実行することに関連するハンドオーバ・メッセージを送信するためのハンドオーバ・メッセージ・プロビジョニング構成要素を含む。ここで、ネットワーク通信構成要素は、複数のネットワーク接続のうちの少なくとも１つに関連する１または複数のフローの、複数のネットワーク接続のうちの別の１つへのハンドオーバを実行する。
【００１４】
別の例によれば、削除された状態情報をＨＳＳへプロビジョンするための方法が提供される。この方法は、デバイスとネットワークとの間の複数の接続のうちの１つの切断に関連付けられたルーティング・トンネル終了メッセージを、モビリティ管理エンティティ（ＭＭＥ）から受信することを含む。この方法はさらに、ルーティング・トンネル終了メッセージを受信することに少なくとも部分的に基づいて、ゲートウェイ識別子をＨＳＳへ送信することを含む。
【００１５】
別の態様では、ＨＳＳに状態情報を提供するための装置が提供される。この装置は、ルーティング・トンネル終了メッセージをＭＭＥから受信し、ルーティング・トンネル終了メッセージを受信することに少なくとも部分的に基づいて、ゲートウェイ識別子をＨＳＳへ送信する、ように構成された少なくとも１つのプロセッサを含む。さらに、この装置は、少なくとも１つのプロセッサに接続されたメモリを含む。
【００１６】
また別の態様では、削除された状態情報をＨＳＳへプロビジョンするための装置が提供される。この装置は、ルーティング・トンネル終了メッセージをＭＭＥから受信する手段を含む。この装置はさらに、ルーティング・トンネル終了メッセージを受信することに少なくとも部分的に基づいて、ゲートウェイ識別子をＨＳＳへ送信する手段を含む。
【００１７】
さらに、別の態様では、削除された状態情報をＨＳＳへプロビジョンするためのコンピュータ・プログラム製品が提供される。このコンピュータ・プログラム製品は、少なくとも１つのコンピュータに対して、ルーティング・トンネル終了メッセージをＭＭＥから受信させるためのコードを有するコンピュータ読取可能な媒体を含む。このコンピュータ読取可能な媒体はさらに、少なくとも１つのコンピュータに対して、ルーティング・トンネル終了メッセージを受信することに少なくとも部分的に基づいて、ゲートウェイ識別子をＨＳＳへ送信させるためのコードを含む。
【００１８】
さらに、態様では、削除された状態情報をＨＳＳへプロビジョンするための装置が提供される。この装置は、ルーティング・トンネル終了メッセージをＭＭＥから受信するための切断構成要素を含む。この装置はさらに、ルーティング・トンネル終了メッセージを受信することに少なくとも部分的に基づいて、ゲートウェイ識別子をＨＳＳへ送信するための状態情報プロビジョニング構成要素を含む。
【００１９】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００２０】
開示された態様は、以下において、同一符号が同一要素を示す添付図面と連携して説明され、開示された態様を、限定することなく、例示するために提供される。
【図１】図１は、複数のネットワーク接続による通信のためのシステムの例を例示する。
【図２】図２は、複数のネットワーク接続のうちの１つから切断するためのシステムの例を例示する。
【図３】図３は、デバイスに関連する複数のネットワーク接続のうちの１つの、ネットワークによって開始される切断を実行するためのシステムの例を例示する。
【図４】図４は、ネットワーク接続を切断するためにリソースのリリースを示す場合、ハンドオーバを指定することを容易にするシステムの例を例示する。
【図５】図５は、デバイスに関連するネットワーク接続の切断後、状態情報をホーム加入者サーバ（ＨＳＳ）へプロビジョンするためのシステムの例を例示する。
【図６】図６は、複数のネットワーク接続のうちの１つを切断するためにハンドオーバ・メッセージを送信する方法の例を例示する。
【図７】図７は、デバイスに関連するネットワーク接続を切断することの一部として、状態情報をＨＳＳへプロビジョンする方法の例を例示する。
【図８】図８は、少なくとも部分的に、別の接続へハンドオーバすることによって、ネットワーク接続を切断するためのモバイル・デバイスの例を例示する。
【図９】図９は、デバイスに関連するネットワーク接続の切断をハンドリングするためのコンピュータ・デバイスの例を例示する。
【図１０】図１０は、複数のネットワーク接続のうちの１つを切断するためにハンドオーバ・メッセージを送信するシステムの例を例示する。
【図１１】図１１は、デバイスに関連するネットワーク接続を切断することの一部として、状態情報をＨＳＳへプロビジョンするためのシステムの例を例示する。
【図１２】図１２は、本明細書に記載されたさまざまな態様にしたがう無線通信システムの例を例示する。
【図１３】図１３は、本明細書で開示されたされたさまざまなシステムおよび方法と共に適用されうる無線ネットワーク環境の例を例示する。
【発明を実施するための形態】
【００２１】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００２２】
さらにここに記載されるように、多元接続シナリオにおける接続の切断は、関連するデバイスの、ネットワーク構成要素間の一貫した状態を保証するために取り扱われる。例えば、デバイスにおいて接続を切断することは、１または複数のネットワーク構成要素におけるデバイスのための一定の状態情報の削除または修正をもたらしうる。ある場合には、例えば、この接続が、複数の接続のうちの１つである場合、接続を切断することによって引き起こされる状態情報の削除または修正が望まれないことがある。特定の例において、デバイスは、前の状態情報を用いて、ネットワークへの切断された接続に再接続しうる。１または複数のネットワーク構成要素が以前に状態情報を削除した場合、一貫性のない状態が、デバイスとあるネットワーク構成要素との間で生じうる。ここで記載されているように、例えば、デバイスによって開始されたネットワークからの切断では、デバイスは、接続をハンドオーバすることに関連するハンドオーバ・メッセージを、別のネットワークを用いて、別のアクティブな接続へ送信しうる。これによって、ネットワークの構成要素は、デバイスのための状態情報を維持するようになり、デバイスとネットワーク構成要素との間の一貫性のある状態情報が保証される。ネットワークによって開始される切断では、例えば、１または複数のネットワーク構成要素が、デバイス状態情報を、別のネットワーク構成要素へ転送しうる。これは、デバイスがこのネットワークにその後再接続する場合に、デバイスとネットワークとの間での一貫性のある状態情報を保証する。
【００２３】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、さまざまなデータ構造を格納したさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２４】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２５】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２６】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記述されている。さらに、ｃｄｍａ２０００およびＵＭＢは、「第３世代パートナシップ計画２」（３ＧＰＰ２）と命名された組織からの文書に記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２７】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２８】
図１を参照して、複数のネットワーク接続による通信を容易にする無線通信システム１００が例示されている。システム１００は、ネットワーク１０６へのアクセスを受信するためにアクセス・ポイント１０４と通信しうる無線デバイス１０２を含む。ネットワーク１０６は、加入者情報を含みうる、デバイス１０２のための情報と、１または複数のネットワークにおいて通信している場合、状態情報と、および／またはその他を格納する状態情報サーバ１１０にアクセスするために、ゲートウェイ１０８、または、１または複数のその他のネットワーク構成要素と通信しうる。さらに、デバイス１０２は、ネットワーク１１４にアクセスするために、アクセス・ポイント１１２と通信しうる。ネットワーク１１４もまた状態情報サーバ１１０にアクセスしうる。この点に関し、例えば、デバイス１０２は、増加されたダイバーシティ、増加されたデータ・レート、追加機能等のために、ネットワーク１０６，１１４と同時に通信しうる。
【００２９】
例えば、デバイス１０２は、ＵＥ、モデム（またはその他のテザー・デバイス）、これらの一部等でありうる。アクセス・ポイント１０４，１１２はおのおの、マクロ・セルや、フェムト・セルや、ピコ・セルや、または類似の基地局や、ルータ（例えば、８０２．１１ｂ（ＷｉＦｉ）ホット・スポットまたは類似のルータ）や、中継ノードや、デバイス１０２とピア・トゥ・ピア・モードまたはアド・ホック・モードで通信しているデバイスや、これらの一部等でありうる。ネットワーク１０６，１１４はおのおの、３ＧＰＰ、３ＧＰＰ  ＬＴＥ、ＵＭＴＳ、ＷｉＭＡＸ、無線ローカル・エリア・ネットワーク（ＷＬＡＮ）、または、これらにアクセス・ポイント・エントリを提供する類似のネットワークでありうる。さらに、例えば、ゲートウェイ１０８は、パケット・データ・ネットワーク（ＰＤＮ）ゲートウェイでありうる。この点に関し例えば、ゲートウェイ１０８は、ネットワーク１０６，１１４がアクセスしうる、デバイス１０２のためのホーム・エージェント・ゲートウェイでありうる。状態情報サーバ１１０は、ホーム加入者サーバ（ＨＳＳ）であるか、あるいは、デバイス１０２または１または複数の追加のデバイスに関連する情報を備える類似のサーバでありうる。
【００３０】
例によれば、デバイス１０２は、ネットワーク１０６，１１４において通信するために、アクセス・ポイント１０４，１１２へのネットワーク接続を確立しうる。ゲートウェイ１０８もまた、これら接続のおのおののために、デバイス１０２に関連付けられうる。例えばアクセス・ポイント１０４を介した接続のようなネットワーク接続のうちの１または複数は、デバイス１０２がネットワーク１０６への接続を再接続した場合に、状態情報サーバ１１０が、デバイス１０２のための関連する状態情報を保持することを保証する方式で切断されうる。この例では、デバイス１０２は、アクセス・ポイント１０４への接続の切断および再接続を通じて、ネットワーク１１４への接続を維持しうることが認識されるべきである。ネットワーク１０６への接続は、デバイス１０２またはネットワーク１０６によって切断されうることが認識されるべきである。例えば、デバイス１０２は、アクセス・ポイント１０４の信号品質の低下、利用可能なリソースの欠如、電力管理機能からのコマンド等、のうちの少なくとも１つに少なくとも部分的に基づいて、切断を開始しうる。さらに、例えば、ネットワーク１０６は、アクセス・ポイント１０４からのインジケーション、デバイス１０２に対応する加入の変更の検出等のうちの少なくとも１つに少なくとも部分的に基づいて切断を開始しうる。
【００３１】
一例では、デバイス１０２が、アクセス・ポイント１０４を通じてネットワーク１０６からの切断を開始した場合、デバイス１０２は、アクセス・ポイント１０４からアクセス・ポイント１１２へとネットワーク通信を移動しうる。これは、例えば、ネットワーク１０６に関連付けられたフローの、ネットワーク１１４へのハンドオーバを含みうる。例えば、フローは、（例えば、インターネット・プロトコル（ＩＰ）または別の方法を用いて）データ・パケットが通信されうる複数のノード間の接続を称する。さらに、デバイス１０２は、その後、ネットワーク１０６への接続を切断する代わりに、例えばバインディング・アップデート・メッセージのようなさらなるハンドオーバ・メッセージをゲートウェイ２０８へ送信しうる。この点に関し、ネットワーク１０６の１または複数の構成要素は、デバイス１０２のいくつかの状態情報を状態情報サーバ１１０に保持しながら、バインディング・アップデートに基づいて、デバイス１０２に関連付けられた、例えば接続関連リソースのようなもはや必要とされないいくつかのリソースを除去しうる。ここでさらに記載されるように、保持された状態情報は、ゲートウェイ１０８、および／または、ネットワーク１０６内のデバイス１０２に関連付けられた１または複数のゲートウェイの識別子を含みうる。別の例では、ネットワーク１０６が、アクセス・ポイント１０４とデバイス１０２との間の接続の切断を開始する場合、ネットワーク１０６は、デバイス１０２のアクセス・ポイント１０４からの切断後、（例えば、１または複数の構成要素を介して）状態情報サーバ１１０へ状態情報を送信しうる。例えば、デバイス１０２によるネットワーク１０６への接続の切断によって、１または複数の構成要素は、状態情報サーバ１１０から、関連する状態情報を削除するようになる。これによって、ゲートウェイ１０８、ネットワーク１０６、またはその他の構成要素は、切断によって引き起こされた状態情報の削除後、状態情報サーバ１１０へ状態情報を送り戻しうる。
【００３２】
図２に移って、複数のアクセス・ポイントとの接続を管理することを容易にする無線通信システム２００の例が例示される。システム２００は、例えばネットワーク２０４，２０６のような１または複数のネットワークと（例えば、上述したような（図示しない）１または複数のアクセス・ポイントを介して）通信しうるデバイス２０２を備える。さらに、ネットワーク２０４，２０６は、ゲートウェイ２０８と通信しうる。ゲートウェイ２０８は、状態情報サーバ２１０、および／または、ホーム・ネットワークまたは訪問ネットワークの１または複数の別の構成要素（例えば、ポリシー課金およびルール機能（ＰＣＲＦ）等）へのアクセスを提供しうる。記載されているように、デバイス２０２は、ＵＥ、モデム等でありうる。ネットワーク２０４，２０６はおのおの３ＧＰＰ、ＷＬＡＮ、または類似のネットワークでありうる。ゲートウェイ２０８は、ＰＤＮゲートウェイ（および／またはホーム・エージェント・ゲートウェイ）等でありうる。そして、状態情報サーバ２１０は、ＨＳＳ等でありうる。
【００３３】
例えば、デバイス２０２は、（例えば、１または複数のアクセス・ポイントを介して）１または複数のネットワークへの信号の送信、および／または、１または複数のネットワークからの信号の受信を行いうるネットワーク通信構成要素２１２と、ネットワークのうちの１または複数からの接続を切断することを認識するための切断決定構成要素２１４と、切断を実行するために１または複数のハンドオーバ・メッセージを送信しうるハンドオーバ・メッセージ・プロビジョニング構成要素２１６とを含みうる。ゲートウェイ２０８は、デバイスの１つのネットワーク接続から、デバイスの別のネットワーク接続への通信のハンドオーバを検出するハンドオーバ構成要素２１８と、ハンドオーバに少なくとも部分的に基づいて、デバイスに関連するリソースをリリースするために、ネットワーク２０４またはネットワーク２０６の１または複数の構成要素を指定しうるリソース・リリース表示構成要素２２０とを含みうる。
【００３４】
例によれば、ネットワーク通信構成要素２１２は、（例えば、１または複数のアクセス・ポイントを介して）ネットワーク２０４，２０６と通信することを容易にしうる。一例では、１つのネットワークではなく、ネットワーク２０４，２０６と通信することは、接続ダイバーシティ、増加されたデータ・レート、追加のサービス等を提供しうる。例えば、この点に関し、ネットワーク通信構成要素２１２は、ネットワーク２０４および／またはネットワーク２０６からの信号の受信と、ネットワーク２０４および／またはネットワーク２０６への信号の送信とのために、送信機／受信機および／または関連するプロセッサを含みうるか、あるいは、利用しうる。例では、切断決定構成要素２１４は、ネットワーク２０４からの接続を切断するかを決定しうる。例えば、切断決定構成要素２１４は、前述したように、アクセス・ネットワーク発見および選択機能（ＡＮＤＳＦ：access network discovery and selection function）等からの更新されたポリシーに少なくとも部分的に基づいて、ネットワーク２０４からの有効通信範囲の喪失、例えば節電機能（例えば、接続をアクティブに保つために利用される電力を節約するために、接続を切断する）のような、１または複数のデバイス２０２に関連するパラメータ、ネットワーク２０４に関連する受信機の電源オフ等を検出することに少なくとも部分的に基づいて、切断することを決定しうる。一例において、ネットワーク通信構成要素２１２は、切断する前に、ネットワーク２０４からのフローをネットワーク２０６へハンドオーバし、（例えば、バインディング・アップデートをゲートウェイ２０８に通信することによって）ゲートウェイ２０８に通知しうる。この例において、ハンドオーバ構成要素２１８は、フローをネットワーク２０６に関連付けるために、バインディングを更新しうる。
【００３５】
さらに、ハンドオーバ・メッセージ・プロビジョニング構成要素２１６は、ネットワーク２０４接続の切断を実行する代わりに、ゲートウェイ２０８に対して、別のバインディング・アップデート・メッセージを送信し、ネットワーク２０４接続のネットワーク２０６へのハンドオーバを示す。前述され、ここでさらに記載されるように、これによって、状態情報サーバ２１０は、ゲートウェイ２０８の識別子を保持するようになる。この例では、ハンドオーバ構成要素２１８は、バインディング・アップデートまたはハンドオーバのその他のインジケーションをデバイス２０２から（例えば、ネットワーク２０４またはネットワーク２０６を介して）受信しうる。リソース・リリース表示構成要素２０２は、ハンドオーバに少なくとも部分的に基づいて、デバイス２０２に関連するリソースをリリースするように、ネットワーク２０４、または、この１または複数の構成要素に通知しうる。この点に関して、例えば、接続の切断を１または複数の構成要素に示す場合に生じるように、ネットワーク２０４、または、この１または複数の構成要素は、デバイス２０２に関連するリソースをリリースするための理由としてハンドオーバを示すことによって、デバイス２０２に関連する一定の状態情報が状態情報サーバ２１０から削除されるようになることなく、リソースをリリースしうる。
【００３６】
１つの特定の例では、ネットワーク２０４は、３ＧＰＰ  ＬＴＥネットワークであり得る。および／または、ネットワーク２０６は、ＷＬＡＮであり得る。この例において、切断決定構成要素２１４は、３ＧＰＰ  ＬＴＥネットワーク２０４接続を切断するように認識しうる。したがって、ネットワーク通信構成要素２１２は、オプションとして、ＩＰフローを、３ＧＰＰ  ＬＴＥネットワーク２０４からＷＬＡＮネットワーク２０６へハンドオーバしうる。そして、バインディングを更新することを容易にするために、バインディング・アップデートをゲートウェイ２０８へ送信しうる。さらに、ハンドオーバ・メッセージ・プロビジョニング構成要素２１６は、例えば、３ＧＰＰ  ＬＴＥネットワーク２０４接続からの明示的な切断を示す代わりに、３ＧＰＰ  ＬＴＥ接続のＷＬＡＮネットワーク２０６接続へのハンドオーバを示すデュアル・スタック・モバイル・インターネット・プロトコル（ＤＳＭＩＰ：dual stack mobile internet protocol）ハンドオーバ・メッセージ（例えば、別のバインディング・メッセージ）を送信しうる。例えば、ハンドオーバ構成要素２１８は、ＤＳＭＴＰハンドオーバ・メッセージや、リリース・リソースや、ルーティング・アドレスや、３ＧＰＰ  ＬＴＥ接続に関連するその他のものを受信しうる。そして、リソース・リリース表示構成要素２２０は、ハンドオーバによってリソースをリリースするように、３ＧＰＰネットワーク２０４のＭＭＥに通知しうる。３ＧＰＰ  ＬＴＥ接続の明示的な切断のためになるであろうから、ＭＭＥは、この例ではＨＳＳでありうる状態情報サーバ２１０から、ゲートウェイの識別子を削除しない。
【００３７】
したがって、ゲートウェイ２０８は、状態情報サーバ２１０において、デバイス２０２に関連付けられ続ける。よって、ネットワーク通信構成要素２１２が、（同じまたは別のアクセス・ポイントを介して）ネットワーク２０４へ再接続する場合、ゲートウェイ２０８は、状態情報サーバ（例えば、ＨＳＳ）２１０において格納された識別子に少なくとも部分的に基づいて、再接続のためにデバイス２０２に再割当されうる。例えば、ネットワーク通信構成要素２１２は、ゲートウェイ２０８割当を受信しうる。そして、これに従って、再接続後、ゲートウェイ２０８へ１または複数のパケットを通信しうる。これは、ゲートウェイ識別子が状態情報サーバ２１０から削除された場合に生じうるので、デバイス２０２が、２つのゲートウェイで終了することを阻止しうる。
【００３８】
図３を参照して、接続が切断された場合に、デバイスの状態情報が保持されることを保証することを容易にする無線通信システム３００の例が例示されている。システム３００は、（例えば、１または複数のアクセス・ポイントを介して）ネットワーク３０４と通信するデバイス３０２を備える。ネットワーク３０４、または、この１または複数の構成要素は、デバイス３０２、および／または、１または複数の別のデバイスへ無線ネットワーク・アクセスを提供するために、ゲートウェイ３０６と通信しうる。記載されているように、システム３００はまた、１または複数のデバイスのための状態情報を保持する状態情報サーバ３０８を備える。例えば、記載されているように、デバイス３０２は、ＵＥ、モデム等でありうる。ネットワーク３０４は、３ＧＰＰ  ＬＴＥネットワーク、ＷＬＡＮ等でありうる。そして、状態情報サーバ３０８は、ＨＳＳ等でありうる。さらに、例えば、ゲートウェイ３０６は、ＰＤＮゲートウェイ（および／または、例えば、デバイス３０２のためのホーム・エージェント・ゲートウェイ）でありうる。
【００３９】
ゲートウェイ３０６は、ネットワーク、アクセス・ポイント等を介して１または複数のデバイスと通信することを容易にしうるデバイス通信構成要素３１０と、デバイスとネットワークとの間の接続を切断することを容易にしうる切断構成要素３１２と、接続を切断したにも関わらず、１または複数のサーバが、デバイス状態情報を保持することを保証しうる状態情報プロビジョニング構成要素３１４と、を備えうる。例にしたがって、デバイス通信構成要素３１０は、ネットワーク３０４（および／または、１または複数の図示しない別のネットワーク構成要素）を介してデバイス３０２と通信しうる。そして、１または複数のサービスをデバイス３０２に提供するために、例えば状態情報サーバ３０８または（図示しない）別の構成要素のような１または複数の別のネットワーク構成要素とのデバイス３０２通信を提供しうる。切断構成要素３１２は、ネットワーク３０４とデバイス３０２との間の接続を切断すること、および／または、この接続が切断されていること、を判定しうる。記載されているように、例えば、デバイス３０２は未だに、別のネットワークを介してゲートウェイ３０６と通信しうる。例えば、切断構成要素３１２は、ネットワーク３０４またはこの１または複数の構成要素から切断要求を、ＭＭＥからルーティング・トンネル終了を、およびその他を受信することに少なくとも部分的に基づいて、ネットワーク接続を切断することを決定しうる。切断構成要素３１２は、例えば、デバイス３０２に関連するリソース、ルーティング・アドレス等をリリースしうる。別の例では、切断構成要素３１２はまた、ネットワーク３０４によるリソースのリリースを引き起こすために、ネットワーク３０４またはこの１または複数の構成要素に、切断を示すインジケーションを通信しうる。
【００４０】
さらに、例えば、状態情報サーバ３０８は、ネットワーク接続を切断することに少なくとも部分的に基づいて（例えば、モビリティ管理エンティティ（ＭＭＥ）または他の構成要素（図示せず）等のような１または複数の他のネットワーク・ノードから、デバイス３０２に関連する切断通知を受信することに少なくとも部分的に基づいて）、デバイス３０２に関連する状態情報を削除しうる。この例において、状態情報プロビジョニング構成要素３１４は、削除後に、デバイス３０２に関連する状態情報を、状態情報サーバ３０８へ提供しうる。特定の例では、状態情報は、ゲートウェイ３０６の識別子に関連しうるので、状態情報サーバ３０８は、ネットワーク３０４からの切断の一部として、デバイス３０２に関連付けられたネットワーク３０４の構成要素からのコマンドに少なくとも部分的に基づいて識別子を削除しうる。この点に関し、例えば、状態情報プロビジョニング構成要素３１４は、切断後、ゲートウェイ３０６の識別子を、状態情報サーバ３０８へ提供しうる。したがって、上述したように、状態情報サーバ３０８は、ネットワーク３０４へのデバイス３０２接続の再接続を取り扱うために、デバイス３０２のゲートウェイ識別子を保持しうる。
【００４１】
一例において、状態情報プロビジョニング構成要素３１４は、状態情報サーバ３０８からの状態情報の削除を引き起こす、ＭＭＥとの競争条件を回避するために、状態情報サーバ３０８に状態情報を提供する前に、タイマを起動しうる。この例において、ＭＭＥはまず、削除処理を完了させ、タイマの終了後、状態情報プロビジョニング構成要素３１４が、状態情報を状態情報サーバ３０８へ送り戻しうる。この点に関し、例えば、状態情報プロビジョニング構成要素３１４は、状態情報サーバ３０８から状態情報を削除するためにＭＭＥによって利用されるタイマに少なくとも部分的に基づいて決定された値（例えば、これは、状態情報サーバ３０８からゲートウェイ３０６へ提供される）を用いてタイマを起動する。したがって、状態情報がゲートウェイ３０６の識別子であり、デバイス３０２が、ネットワーク３０４、または、同じネットワークの別のアクセス・ポイントに再接続する場合、ゲートウェイ３０６は、状態情報サーバ３０８における状態情報に基づいて、デバイス３０２通信のために割り当てられうる。例えば、記載されているように、デバイス３０２は、ネットワーク３０４、または、同じネットワークの別のアクセス・ポイントに再接続すると、この別のアクセス・ポイントを介してゲートウェイ３０６と通信することができる。
【００４２】
図４に移って、接続を切断するためのデバイス状態情報を保持することを容易にする無線通信システム４００の例が例示される。システム４００は、ＵＥ４０２を含みうる。ＵＥ４０２は、（例えば、１または複数のアクセス・ポイント、および／または、他のネットワーク・ノードを介して）ＭＭＥ４０４と、または、ＵＥ４０２のための認証／許可を提供する１または複数の他の３ＧＰＰ  ＬＴＥネットワーク構成要素と通信しうる。ＭＭＥ４０４は、ＨＳＳ４１０と情報を通信するために、ＰＤＮゲートウェイ（ＧＷ）４０６と通信しうる。例えば、ＰＤＮ  ＧＷ４０６は、ＵＥ４０２のホーム・エージェントＧＷでありえる。さらに、ＵＥ４０２は、さらにＰＤＮ  ＧＷ４０６と通信するために、ＷｉＦｉアクセス・ポイント（ＡＰ）４０８と通信しうる。ＵＥ４０２は、ＭＭＥ４０４とＷｉＦｉ  ＡＰ４０８とを介したフロー・モビリティを用いて３ＧＰＰおよびＷｉＦｉに接続されうる（４１２）。フロー・モビリティは、例えば、１つの接続（例えば、３ＧＰＰ接続）から別の接続（例えば、ＷｉＦｉ接続）へとフローを転送する能力に関連しうる。
【００４３】
この例において、ＨＳＳ４１０は、ＵＥ４０２に関連付けるためのＰＤＮ  ＧＷ４０６の識別子を含みうる。ＵＥ４０２は、例えば、３ＧＰＰネットワークおよびＭＭＥ４０４へのネットワーク接続を切断することを決定しうる。この例において、ＵＥ４０２は、４１２におけるフロー・モビリティを用いて、３ＧＰＰ接続からＷｉＦｉ接続へフローを移動させ、これに従って、関連付けられたメッセージ（例えば、バインディング・アップデート）をＰＤＮ  ＧＷ４０６へ通信しうる。さらに、ＵＥ４０２は、３ＧＰＰ接続の切断を実行する代わりに、（例えば、ＭＭＥ４０４および／またはＷｉＦｉ  ＡＰ４０８を介して、）ＰＤＮ  ＧＷ４０６へバインディング・アップデートを送信し、ＰＤＮ  ＧＷ４０６からバインディング・アクノレッジメント４１４を受信する。バインディング・アップデート／アクノレッジメント４１４は、記載されているように、ＷｉＦｉ接続への３ＧＰＰ接続のＤＳＭＩＰハンドオーバを実行することに関連しうる。したがって、ＰＤＮ  ＧＷ４０６は、リソース・リリース４１６をＭＭＥ４０４に示し、ハンドオーバ識別子を指定する。よって、ＭＭＥ４０４は、ＵＥ４０２のための、例えばＰＤＮ  ＧＷ４０６の識別子のような状態情報を削除しない。この点に関し、ＵＥ４０２は、その後、３ＧＰＰ接続に再接続し、この識別子を保持しているＨＳＳ４１０に少なくとも部分的に基づいて、ＨＳＳ４１０からＰＤＮ  ＧＷ４０６割当を受信しうる。例えば、ＵＥ４０２が、３ＧＰＰ接続の切断／再接続中、ＷｉＦｉ  ＡＰ４０８への接続を維持している場合、ＰＤＮ  ＧＷ４０６の割当は重要でありうる。なぜなら、ＵＥ４０２は、ＷｉＦｉ  ＡＰ４０８を介してＰＤＮ  ＧＷ４０８との通信を続けるからである。
【００４４】
図５を参照して、接続を切断するためデバイス状態情報を保持することを容易にする無線通信システム５００の例が例示されている。システム５００は、ＵＥ５０２を含みうる。ＵＥ５０２は（例えば、１または複数のアクセス・ポイント、および／または、他のネットワーク・ノードを介して）ＭＭＥ５０４と、または、ＵＥ５０２のための認証／許可を提供する１または複数の他の３ＧＰＰ  ＬＴＥネットワーク構成要素と通信しうる。ＭＭＥ５０４は、ＨＳＳ５１０と情報を通信するために、ＰＤＮゲートウェイ（ＧＷ）５０６と通信しうる。さらに、ＵＥ５０２は、ＰＤＮ  ＧＷ５０６と通信するために、ＷｉＦｉ  ＡＰ５０８と通信しうる。ＵＥ５０２は、ＭＭＥ５０４とＷｉＦｉ  ＡＰ５０８とを介したフロー・モビリティを用いて３ＧＰＰおよびＷｉＦｉに接続されうる（５１２）。この例において、ＨＳＳ５１０は、ＵＥ５０２に関連付けるためのＰＤＮ  ＧＷ５０６の識別子を含みうる。
【００４５】
ＭＭＥ５０４は、ＵＥ５０２との３ＧＰＰ接続を切断し始めうる。これは、記載されているように、ＵＥ５０２がアクセス可能ではないこと、ＵＥ５０２のための加入者情報が変化したこと、等を判定することに少なくとも部分的に基づきうる。この点に関し、ＭＭＥ５０４は、ＰＤＮ  ＧＷ５０６に、ルーティング・トンネル終了５１４を送信しうる。これは、ＭＭＥ５０４および／またはその他のネットワーク構成要素を介してＰＤＮ  ＧＷ５０６へＵＥ５０２通信を転送するために確立されうる、汎用パケット・ラジオ・サービス（ＧＰＲＳ）トンネリング・プロトコル（ＧＴＰ）等に関連しうる。記載されているように、ＰＤＮ  ＧＷ５０６は、ルーティング・トンネル終了５１４を受信することに少なくとも部分的に基づいて、オプションで、競争条件タイマ５１６を起動し、ＭＭＥ５０４が、ＨＳＳ５１０から状態情報を削除できるようにしうる。いずれの場合であれ、５１８において、ＰＤＮ  ＧＷは、自己の識別子をＨＳＳ５１０へ提供しうる。したがって、ＨＳＳ５１０は、その後、３ＧＰＰネットワークにＵＥ５０２を再接続すると、ＰＤＮ  ＧＷ５０６をＵＥ５０２に割り当てうる。
【００４６】
図６−７に示すように、複数のネットワーク接続のうちの１つから切断する場合に状態情報が保持されることを保証することに関連する方法の例が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４７】
図６を参照して、複数のネットワーク接続のうちの別の１つへハンドオーバすることによって、複数のネットワーク接続のうちの１つを切断することを容易にする方法６００の例が示される。６０２では、おのおのがゲートウェイへのアクセスを提供する複数のネットワーク接続で通信されうる。記載されているように、複数のネットワーク接続は、３ＧＰＰ接続、ＷＬＡＮ接続、または類似のネットワーク接続を含みうる。さらに、ゲートウェイは、ホーム・エージェント・ゲートウェイでありうる。６０４では、複数のネットワーク接続のうちの少なくとも１つを切断することが決定されうる。例えば、切断は、記載されているように、関連するアクセス・ポイントとの信号品質の喪失または低下、利用可能なリソースの減少、電力管理コマンド等に少なくとも部分的に基づいて決定されうる。
【００４８】
６０６では、複数のネットワーク接続のうちの少なくとも１つに関連する１または複数のフローの、複数のネットワーク接続のうちの別の１つへのハンドオーバが実行されうる。これは、例えば、フローに関連するバインディングを更新することを容易にするために、ゲートウェイに、バインディング・アップデートを送信することを含みうる。さらに、６０８では、切断する代わりに、複数のネットワーク接続のうちの少なくとも１つの、複数のネットワーク接続のうちの別の１つへのハンドオーバを実行することに関連するハンドオーバ・メッセージが送信されうる。この点に関し、例えば、状態情報サーバは、接続が切断された場合には保持しないであろう、複数のネットワーク接続のうちの１つに関連する情報を保持しうる。特定の例では、上述したように、ハンドオーバ・メッセージは、３ＧＰＰネットワークからＷＬＡＮネットワークへのＤＳＭＩＰハンドオーバを実行することに関連しうる。これは、ＨＳＳに対して、３ＧＰＰネットワーク（例えば、およびＷＬＡＮネットワーク）で利用されているゲートウェイの識別子を保持させうる。これは、その後、３ＧＰＰ接続を再接続した場合、ＨＳＳからデバイスへプロビジョンされうる。
【００４９】
図７に移って、デバイス切断後、ゲートウェイ識別子をＨＳＳへ提供することを容易にする方法７００の例が示される。７０２では、ルーティング・トンネル終了メッセージが、ＭＭＥから受信されうる。このメッセージは、例えば、デバイスに関連する３ＧＰＰ接続の切断を示すＧＴＰ終了メッセージでありうる。７０４では、ルーティング・トンネル終了メッセージを受信することに少なくとも部分的に基づいて、ゲートウェイ識別子がＨＳＳへ送信されうる。記載されているように、例えば、ゲートウェイ識別子は、デバイスの切断後に、ＭＭＥによって削除されているかもしれない。よって、ゲートウェイ識別子は、ＨＳＳへ再度送信される。これは、例えば、上述されているように、タイマに少なくとも部分的に基づきうる。
【００５０】
本明細書に記載された１または複数の態様によれば、推論は、説明されたように、ゲートウェイ識別子をＨＳＳへ送信するためのタイマ値を決定すること等に関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００５１】
図８は、複数のネットワーク接続のうちの１つを切断する際に、ハンドオーバ通信を容易にするモバイル・デバイス８００の例示である。モバイル・デバイス８００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機８０２を備えうる。受信機８０２は、受信したシンボルを復調し、それらをチャネル推定のためにプロセッサ８０６へ提供する復調器８０４を備えうる。プロセッサ８０６は、受信機８０２によって受信された情報を分析すること、および／または、送信機８０８による送信のための情報を生成することに特化されたプロセッサ、モバイル・デバイス８００の１または複数の構成要素を制御するプロセッサ、および／または、受信機８０２によって受信された情報を分析することと、送信機８０８による送信のための情報を生成することと、モバイル・デバイス８００のうちの１または複数の構成要素を制御することとのすべて行うプロセッサでありうる。
【００５２】
モバイル・デバイス８００はさらにメモリ８１０を備えうる。このメモリ８１０は、プロセッサ８０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ８１０はさらに、（例えば、パフォーマンス・ベース、容量ベース等での）チャネルの推定および／または利用に関連付けられたアルゴリズムおよび／またはプロトコルを格納しうる。
【００５３】
本明細書に記載されたデータ・ストア（例えば、メモリ８１０）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ８１０は、限定される訳ではないが、これらおよびその他任意の適切なタイプのメモリを備えることが意図される。
【００５４】
プロセッサ８０６はさらに、オプションとして、ネットワーク通信構成要素８１２に類似しうるネットワーク通信構成要素８１２と、切断決定構成要素２１４に類似しうる切断決定構成要素８１４と、および／または、ハンドオーバ・メッセージ・プロビジョニング構成要素２１６に類似しうるハンドオーバ・メッセージ・プロビジョニング構成要素８１６と、に動作可能に接続されうる。モバイル・デバイス８００はさらに、送信機８０８による、例えば基地局、他のモバイル・デバイス等への送信のための信号を変調する変調器８１８を備える。プロセッサ８０６と別に示されているが、ネットワーク通信構成要素８１２、切断決定構成要素８１４、ハンドオーバ・メッセージ・プロビジョニング構成要素８１６、復調器８０４、および／または、変調器８１８は、プロセッサ８０６または複数のプロセッサ（図示せず）のうちの一部でありうることが認識されるべきである。
【００５５】
図９を参照して、本明細書に示された態様にしたがうコンピュータ・デバイス９００が示されている。例では、コンピュータ・デバイスは、ゲートウェイまたは類似のネットワーク・ノードでありうる。コンピュータ・デバイス９００は、本明細書に記載された構成要素および機能のうちの１または複数に関連付けられた処理機能を実行するプロセッサ９０２を含む。プロセッサ９０２は、単一または複数のセットのプロセッサであるか、あるいは、マルチコア・プロセッサのセットでありうる。さらに、プロセッサ９０２は、統合処理システム、および／または、分散処理システムとして実現されうる。
【００５６】
コンピュータ・デバイス９００はさらに、プロセッサ９０２によって実行されるローカル・バージョンのアプリケーションを格納するメモリ９０４を含む。メモリ９０４は、例えば、ランダム・アクセス・メモリ（ＲＡＭ）、読取専用メモリ（ＲＯＭ）、テープ、磁気ディスク、光ディスク、揮発性メモリ、不揮発性メモリ、およびこれらの任意の組み合わせのように、コンピュータによって使用可能な実質的に任意のタイプのメモリを含みうる。
【００５７】
さらに、コンピュータ・デバイス９００は、本明細書で記載されているように、ハードウェア、ソフトウェア、およびサービスを利用する１または複数のパーティとの通信の確立および維持を提供する通信構成要素９０６を含む。通信構成要素９０６は、コンピュータ・デバイス９００上の構成要素間のみならず、例えば、通信ネットワークを介して位置しているデバイス、および／または、コンピュータ・デバイス９００に直列に、または、ローカルに接続されたデバイスのような外部デバイスとコンピュータ・デバイス９００との間で通信を伝送しうる。例えば、通信構成要素９０６は、１または複数のバスを含みうる。さらに、外部のデバイスとインタフェースするように動作可能な送信機および受信機に関連付けられた送信チェーン構成要素および受信チェーン構成要素を含みうる。
【００５８】
それに加えて、コンピュータ・デバイス９００はさらに、データ・ストア９０８を含む。データ・ストア９０８は、ハードウェアおよび／またはソフトウェアの任意の適切な組み合わせであることができ、本明細書に記載された態様に関連して適用されるプログラム、データベース、および情報の大容量記憶を提供する。例えば、データ・ストア９０８は、プロセッサ９０２によって現在実行されていないアプリケーションのためのデータ・リポジトリでありうる。
【００５９】
コンピュータ・デバイス９００は、コンピュータ・デバイス９００のユーザからの入力を受け取るように動作可能で、さらに、ユーザに提示するための出力を生成するように動作可能なインタフェース構成要素９１０をオプションとして含みうる。ユーザ・インタフェース構成要素９１０は、限定される訳ではないが、キーボード、テンキー、マウス、タッチ画面、ナビゲーション・キー、ファンクション・キー、マイクロホン、音声認識構成要素、ユーザからの入力を受信可能なその他のメカニズム、あるいはこれらの任意の組み合わせを含む１または複数の入力デバイスを含むことができる。さらに、インタフェース構成要素９１０は、限定される訳ではないが、ディスプレイ、スピーカ、触覚型フィードバック・メカニズム、プリンタ、ユーザに出力を提示することが可能なその他任意のメカニズム、またはこれらの任意の組み合わせを含む１または複数の出力デバイスを含むことができる。別の例において、インタフェース構成要素９１０は、コンピュータ・デバイス９００上で機能を実行するために１または複数のデバイスによってアクセスされうるアプリケーション・プログラム・インターフェイス（ＡＰＩ）でありうる。
【００６０】
さらに、図示された例では、コンピュータ・デバイス９００は、オプションとして、ハンドオーバ構成要素９１２、リソース・リリース表示構成要素９１４、デバイス通信構成要素９１６、切断構成要素９１８、または、状態情報プロビジョニング構成要素９２０のうちの１または複数を含みうる。したがって、本明細書に記載された他の構成要素に類似しうるこれら構成要素９１２，９１４，９１６，９１８，および／または９２０は、記載されているように、関連付けられた命令群を実行するためのプロセッサ９０２、関連付けられた情報を格納するためのメモリ９０４、通信を実行するための通信構成要素９０６等を利用しうる。さらに、コンピュータ・デバイス９００は、本明細書に記載された追加のまたは代替の構成要素を含みうることが認識されるべきである。
【００６１】
図１０を参照して、ネットワーク接続の別のネットワーク接続へのハンドオーバを実行することによってネットワーク接続を切断するシステム１０００が例示されている。例えば、システム１０００は、デバイス等の中に少なくとも部分的に存在しうる。システム１０００は、プロセッサ、ソフトウェア、またはこれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、おのおのがゲートウェイへのアクセスを提供する複数のネットワーク接続によって通信するための電子構成要素１００４を含みうる。例えば、複数のネットワーク接続は、３ＧＰＰ接続、ＷＬＡＮ接続等を含みうる。さらに、論理グループ１００２は、複数のネットワーク接続のうちの少なくとも１つを切断することを決定するための電子構成要素１００６を備えうる。
【００６２】
記載されるように、例えば、電子構成要素１００６は、例えば、しきいレベルよりも下への信号品質低下、リソースの不足、電力管理機能からのインジケーション等のようなさまざまなインジケータのうちの１つに基づいて切断を実行することを決定しうる。さらに、記載されるように、電子構成要素１００４はさらに、複数のネットワーク接続のうちの少なくとも１つのフローを、複数のネットワーク接続のうちの別の１つへハンドオーバしうる。この点に関し、論理グループ１００２は、切断する代わりに、複数のネットワーク接続のうちの少なくとも１つの、複数のネットワーク接続のうちの別の１つへのハンドオーバを実行することに関連するハンドオーバ・メッセージを送信するための電子構成要素１００８を含みうる。したがって、記載されているように、システム１０００に関連する状態情報が、システム１０００が複数のネットワークのうちの１つから明示的に切断する場合とは異なり、状態情報サーバに保持されうる。
【００６３】
例えば、電子構成要素１００４は、ネットワーク通信構成要素２１２を含みうる。さらに、例えば、電子構成要素１００６は、態様において、前述したように、切断決定構成要素２１４を含みうる。さらに、記載されるように、電子構成要素１００８は、態様において、前述したように、ハンドオーバ・メッセージ・プロビジョニング構成要素２１６を含みうる。さらに、システム１０００は、電子構成要素１００４，１００６，１００８に関連付けられた機能を実行するための命令群を保持するメモリ１０１０を含みうる。メモリ１０１０の外側にあるとして示されているが、電子構成要素１００４，１００６，１００８のうちの１または複数は、メモリ１０１０内に存在しうることが理解されるべきである。
【００６４】
一例において、電子構成要素１００４，１００６，１００８は、少なくとも１つのプロセッサを含みうる。または、電子構成要素１００４，１００６，１００８おのおのは、少なくとも１つのプロセッサの対応するモジュールでありうる。さらに、追加のまたは代替例において、電子構成要素１００４，１００６，１００８は、コンピュータ読取可能な媒体を備えるコンピュータ・プログラム製品でありうる。ここで、おのおのの電子構成要素１００４，１００６，１００８は、対応するコードでありうる。
【００６５】
図１１を参照して、ゲートウェイ識別子を状態情報サーバへプロビジョンするシステム１１００が例示されている。例えば、システム１１００は、ゲートウェイ等内に少なくとも部分的に存在しうる。システム１１００は、プロセッサ、ソフトウェア、またはこれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、ＭＭＥからルーティング・トンネル終了メッセージを受信するための電子構成要素１１０４を含みうる。記載されるように、ルーティング・トンネル終了メッセージは、ＧＴＰトンネル終了メッセージでありうるか、３ＧＰＰ接続からのデバイスの切断を示す類似のメッセージでありうる。
【００６６】
さらに、論理グループ１１０２は、ルーティング・トンネル終了メッセージを受信することに少なくとも部分的に基づいて、ゲートウェイ識別子をＨＳＳへ送信するための電子構成要素１１０６を備えうる。記載されるように、例えば、ゲートウェイ識別子は、デバイスが３ＧＰＰ接続から切断されると、ＭＭＥによって削除されうる。したがって、電子構成要素１００６は、デバイスが３ＧＰＰ接続に再接続した場合、デバイスへのその後の割当のために、ＨＳＳへゲートウェイ識別子を再プロビジョンする。例えば、態様において、電子構成要素１１０４は、前述したように、切断構成要素３１２を含みうる。さらに、例えば、電子構成要素１１０６は、態様において、状態情報プロビジョニング構成要素３１４を含みうる。さらに、システム１１００は、電子構成要素１１０４，１１０６に関連付けられた機能を実行するための命令群を保持するメモリ１１０８を含みうる。メモリ１１０８の外側にあると示されているが、電子構成要素１１０４，１１０６のうちの１または複数は、メモリ１１０８内に存在しうることが理解されるべきである。
【００６７】
一例において、電子構成要素１１０４，１１０６は、少なくとも１つのプロセッサを含みうる。または、電子構成要素１１０４，１１０６のおのおのは、少なくとも１つのプロセッサの対応するモジュールでありうる。さらに、追加のまたは代わりの例において、電子構成要素１１０４，１１０６は、コンピュータ読取可能な媒体を備えるコンピュータ・プログラム製品でありうる。ここで、おのおのの電子構成要素１１０４，１１０６は、対応するコードでありうる。
【００６８】
図１２に示すように、本明細書に示されるさまざまな実施形態にしたがって無線通信システム１２００が例示されている。システム１２００は、複数のアンテナ・グループを含みうる基地局１２０２を含む。例えば、１つのアンテナ・グループは、アンテナ１２０４およびアンテナ１２０６を含むことができ、別のグループはアンテナ１２０８およびアンテナ１２１０を備えることができ、さらに別のグループはアンテナ１２１２およびアンテナ１２１４を含むことができる。おのおののアンテナ・グループについて２本のアンテナしか例示されていないが、２本より多いアンテナ、または２本より少ないアンテナも、各グループのために利用されうる。基地局１２０２はさらに、送信機チェーンおよび受信機チェーンを含みうる。これらのおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００６９】
基地局１２０２は、例えばモバイル・デバイス１２１６およびモバイル・デバイス１２２２のような１または複数のモバイル・デバイスと通信しうる。しかしながら、基地局１２０２は、モバイル・デバイス１２１６およびモバイル・デバイス１２２２に類似した実質的に任意の数のモバイル・デバイスと通信しうることが理解されるべきである。モバイル・デバイス１２１６，１２２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１２００を介して通信するのに適切なその他任意のデバイスでありうる。図示するように、モバイル・デバイス１２１６は、アンテナ１２１２およびアンテナ１２１４と通信している。ここで、アンテナ１２１２およびアンテナ１２１４は、順方向リンク１２１８によってモバイル・デバイス１２１６へ情報を送信し、逆方向リンク１２２０によってモバイル・デバイス１２１６から情報を受信する。さらに、モバイル・デバイス１２２２はアンテナ１２０４およびアンテナ１２０６と通信している。ここで、アンテナ１２０４およびアンテナ１２０６は、順方向リンク１２２４でアクセス端末１２２２へ情報を送信し、逆方向リンク１２２６でアクセス端末１２２２から情報を受信する。周波数分割デュプレクス（ＦＤＤ）システムでは、例えば、順方向リンク１２１８は、逆方向リンク１２２０によって使用されるものとは異なる周波数帯域を使用し、順方向リンク１２２４は、逆方向リンク１２２６によって使用されるものとは異なる周波数帯域を使用しうる。さらに、時分割デュプレクス（ＴＤＤ）システムでは、順方向リンク１２１８および逆方向リンク１２２０は、共通の周波数帯域を使用し、順方向リンク１２２４および逆方向リンク１２２６は、共通の周波数帯域を使用しうる。
【００７０】
通信するように指定された領域および／またはアンテナのおのおののグループは、基地局１２０２のセクタと称されうる。例えば、基地局１２０２によってカバーされる領域のセクタ内のアクセス端末に通信するように、複数のアンテナが設計されうる。順方向リンク１２１８および順方向リンク１２２４による通信では、基地局１２０２の送信アンテナは、モバイル・デバイス１２１６およびモバイル・デバイス１２２２のための順方向リンク１２１８および順方向リンク１２２４の信号対雑音比を改善するためにビームフォーミングを適用しうる。また、基地局１２０２が、関連付けられた有効通信範囲にランダムに散在したモバイル・デバイス１２１６，１２２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１２１６，１２２２は、図示するように、ピア・トゥ・ピアまたはアド・ホック技術を用いて互いにダイレクトに通信しうる。例によれば、システム１２００は、複数入力複数出力（ＭＩＭＯ）通信システムでありうる。
【００７１】
図１３は、無線通信システム１３００の例を示す。無線通信システム１３００は、簡潔さの目的で、１つの基地局１３１０と１つのモバイル・デバイス１３５０とを示している。しかしながら、システム１３００は、１より多い基地局、および／または、１より多いモバイル・デバイスを含むことができ、これら追加の基地局および／またはモバイル・デバイスは、以下に説明する基地局１３１０およびモバイル・デバイス１３５０の例と実質的に同じでも、別のものでもありうることが認識されるべきである。さらに、基地局１３１０および／またはモバイル・デバイス１３５０は、無線通信を容易にするために、本明細書に記載されたシステム（図１−５、および１０−１２）、モバイル・デバイス（図８）、コンピュータ・デバイス（図９）、および／または方法（図６−７）を適用しうることが認識されるべきである。例えば、本明細書に記載されたシステムおよび／または方法の構成要素または機能は、以下に記載されるようなメモリ１３３２および／またはメモリ１３７２、または、プロセッサ１３３０および／またはプロセッサ１３７０の一部でありうるか、および／または、開示された機能を実行するためにプロセッサ１３３０および／またはプロセッサ１３７０によって実行されうる。
【００７２】
基地局１３１０では、多くのデータ・ストリームのためのトラフィック・データが、データ・ソース１３１２から送信（ＴＸ）データ・プロセッサ１３１４へ提供される。例によれば、おのおののデータ・ストリームが、それぞれのアンテナを介して送信される。ＴＸデータ・プロセッサ１３１４は、トラフィック・データ・ストリームをフォーマットし、このデータ・ストリームのために選択された特定の符号化スキームに基づいて符号化し、インタリーブして、符号化されたデータを提供する。
【００７３】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１３５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１３３０によって実行または提供される命令によって決定されうる。
【００７４】
データ・ストリームの変調シンボルは、（例えば、ＯＦＤＭのために）変調シンボルを処理するＴＸ  ＭＩＭＯプロセッサ１３２０に提供される。ＴＸ  ＭＩＭＯプロセッサ１３２０はその後、ＮＴ個のシンボル・ストリームを、ＮＴ個の送信機（ＴＭＴＲ）１３２２ａ乃至１３２２ｔへ提供する。さまざまな実施形態において、ＴＸ  ＭＩＭＯプロセッサ１３２０は、データ・ストリームのシンボル、および、そのシンボルが送信されるアンテナへ、ビームフォーミング重みを適用する。
【００７５】
おのおのの送信機１３２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１３２２ａ乃至１３２２ｔからのＮＴ個の変調信号は、ＮＴ個のアンテナ１３２４ａ乃至１３２４ｔそれぞれから送信される。
【００７６】
モバイル・デバイス１３５０では、送信された変調信号が、ＮＲ個のアンテナ１３５２ａ乃至１３５２ｒによって受信され、各アンテナ１３５２からの受信信号が、それぞれの受信機（ＲＣＶＲ）１３５４ａ乃至１３５４ｒへ提供される。おのおのの受信機１３５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７７】
ＲＸデータ・プロセッサ１３６０は、ＮＲ個の受信機１３５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１３６０は、検出されたおのおののシンボル・ストリームを復調し、デインタリーブし、復号して、このデータ・ストリームのためのトラフィック・データを復元する。ＲＸデータ・プロセッサ１３６０による処理は、基地局１３１０におけるＴＸ  ＭＩＭＯプロセッサ１３２０およびＴＸデータ・プロセッサ１３１４によって実行されるものと相補的である。
【００７８】
逆方向リンク・メッセージは、通信リンクおよび／または受信されたデータ・ストリームに関するさまざまなタイプの情報を備えうる。逆方向リンク・メッセージは、データ・ソース１３３６から多くのデータ・ストリームのトラフィック・データをも受信するＴＸデータ・プロセッサ１３３８によって処理され、変調器１３８０によって変調され、送信機１３５４ａ乃至１３５４ｒによって調整され、基地局１３１０へ送り戻される。
【００７９】
基地局１３１０では、モバイル・デバイス１３５０からの変調信号が、アンテナ１３２４によって受信され、受信機１３２２によって調整され、復調器１３４０によって復調され、ＲＸデータ・プロセッサ１３４２によって処理されて、モバイル・デバイス１３５０によって送信された逆方向リンク・メッセージが抽出される。さらに、プロセッサ１３３０は、ビームフォーミング重みを決定するためにどのプリコーディング行列を使用するかを決定するために、この抽出されたメッセージを処理する。
【００８０】
プロセッサ１３３０およびプロセッサ１３７０は、基地局１３１０およびモバイル・デバイス１３５０それぞれにおける動作を指示（例えば、制御、調整、管理等）する。プロセッサ１３３０およびプロセッサ１３７０はそれぞれ、プログラム・コードおよびデータを格納するメモリ１３３２およびメモリ１３７２に関連付けられうる。プロセッサ１３３０およびプロセッサ１３７０はまた、アップリンクおよびダウンリンクそれぞれのための周波数およびインパルス応答推定値を導出する計算をも実行する。
【００８１】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００８２】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００８３】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013516924.tif 000003
【図２】
2013516924.tif 000004
【図３】
2013516924.tif 000005
【図４】
2013516924.tif 000006
【図５】
2013516924.tif 000007
【図６】
2013516924.tif 000008
【図７】
2013516924.tif 000009
【図８】
2013516924.tif 000010
【図９】
2013516924.tif 000011
【図１０】
2013516924.tif 000012
【図１１】
2013516924.tif 000013
【図１２】
2013516924.tif 000014
【図１３】
2013516924.tif 000015
【国際調査報告】
2013516924.tif 000016
2013516924.tif 000017